(57)【要約】      （修正有）【課題】エコノミー症候群予防のための弾性靴下を健康的で履き心地のよいものにし、合わせてずり落ちも防止するようにした着圧ソックスを提供する。【解決手段】靴下の膨ら脛部位３の内面に多数の粒状突起５を設けたハイソックス１であって、膨ら脛部位３を着圧するとともに摩擦を与えるようにした着圧ソックス１を構成するものである。【選択図】図１
0003110165.tif 000002
【実用新案登録請求の範囲】
【請求項１】
靴下の膨ら脛部位の内面に多数の粒状突起を設けたハイソックスであって、該膨ら脛部位を着圧するとともに摩擦を与えるようにしたことを特徴とする着圧ソックス。
【請求項２】
前記着圧ソックスは、合成繊維と綿繊維との混紡糸からなり、キトサンの微粒子を前記合成繊維紡糸工程で０．３重量％以上２．０重量％以下に混合して構成した請求項１記載の着圧ソックス。
【請求項３】
前記着圧ソックスは、二本指ソックスに構成した請求項１又は請求項２記載の着圧ソックス。
【請求項４】
前記着圧ソックスは、五本指ソックスに構成した請求項１又は請求項２記載の着圧ソックス。
【請求項５】
前記粒状突起は、軟質合成樹脂８０〜８５重量％、セラミック１０〜１５重量％からなり、微粒子状キトサンを前記軟質樹脂に対し、０．５重量％ないし５．０重量％含有させてなる請求項１ないし４のいずれかに記載の着圧ソックス。
【請求項６】
セラミックは、平均粒度０．０２〜０．１μｍの酸化アルミニウム９５重量％、酸化チタン３重量％、酸化珪素１〜２重量％からなる金属酸化物である請求項１ないし５のいずれかに記載の着圧ソックス。
【考案の詳細な説明】
【技術分野】
【０００１】
本考案は、着圧ソックスに係り、更に詳細には、膨ら脛（ふくらはぎ）の筋肉が正常状態への回復させるための着圧ソックスに関するものである。
【背景技術】
【０００２】
足は、体を支え移動する運動器官の一つなので、疲労が蓄積しやすい。長時間飛行機に乗って足を下にして動かさないでいると、血流が阻害されてエコノミー症候群になる。足の浮腫（むくみ）や疲労は、血流が阻害されて、膨ら脛（ふくらはぎ）の筋肉が正常状態への回復が遅くなることに起因している。
【０００３】
血の巡りは動脈を通って流れ、静脈を通って心臓に返される。そして心臓から一番離れた足は、引力や重力の影響もあって、血液が溜りやすく、疲労や浮腫の原因になっている。従って、膨ら脛の静脈流に、適度の圧迫力と摩擦力による刺激を与えるようにすれば、血の流れがよくなり、疲労の回復も早まることが医学的な臨床実験の結果からも立証されている。そのため、足の膨ら脛部位に外側から圧力をかけて静脈の血行を促進させる医療用の弾性靴下からなる着圧ソックスが種々提案されている。
【０００４】
例えば、特許文献１、特許文献２、特許文献３、特許文献４等の先行技術が提案されている。
【特許文献１】特開２０００−２９０８０６号公報
【特許文献２】特開平１１−１３１３０３号公報
【特許文献３】特開平１１−７０１４０号公報
【特許文献４】特開平１１−４７１８６号公報
【０００５】
しかし、何れの着圧ソックスも、着用者の脚部に緊迫力を与えるために、ポリウレタン弾性糸及びナイロン糸の交撚糸等を用いて丸編みによりパンティストッキング等を製造している。
【０００６】
その他、着用者の足底部に多数の突起を設けた靴下の先行技術としては、特許文献５の先行技術がある。
【特許文献５】登録実用新案第３０４８２５６号
【０００７】
しかしながら、特許文献５は、足底部に突起を設け、水虫の予防と治療のための五本指ソックスであって、膨ら脛部位を締め付けた着圧ソックスとはなっていない。
【考案の開示】
【考案が解決しようとする課題】
【０００８】
上記の事情に鑑み、本考案が解決しようとする問題点は、靴下の膨ら脛部位の内面に多数の粒状突起を設けてエコノミー症候群を防止するようにし、合わせてずり落ちも防止するようにした着圧ソックスを提供することである。
【課題を解決するための手段】
【０００９】
本考案は、靴下の膨ら脛部位の内面に多数の粒状突起を設けたハイソックスであって、該膨ら脛部位を着圧するとともに摩擦を与えるようにした着圧ソックスを構成するものである。
【考案の効果】
【００１０】
本考案の着圧ソックスは、膨ら脛部位を圧着することにより、エコノミー症候群を予防しうる弾性靴下とすることができる。
【００１１】
本考案の着圧ソックスは、五本指ソックスにしたので、足指は蒸れることなく健康的で履き心地のよいソックスとすることができる。
【００１２】
本考案の着圧ソックスは、着圧の締め付け部分を、膨ら脛部位の上端にすると、ずり落ち防止に寄与せることができる。
【考案を実施するための最良の形態】
【００１３】
以下、本考案の実施例を図面に基づいて詳しく説明する。
【実施例１】
【００１４】
図１は、本考案の着圧ソックスの一実施例を示す底面図である。
【００１５】
本考案の着圧ソックス１は、例えば、表糸は、アクリル繊維５０％、綿繊維５０％からなる混紡糸、裏糸は、ポリウレタン弾性糸を編成し、アクリル繊維５０％、綿繊維５０％からなる混紡糸を編成した指先が五本２ａ，２ｂ，２ｃ，２ｄ，２ｅに分割された五本指ソックスからなっている。このソックス１は、膝の下までの長さのハイソックスであって、膨ら脛の部位３を含んでいる。
【００１６】
アクリル繊維には、例えば、フレーク状キトサンに分子中に少なくとも２個の第４級アンモニウム塩型の窒素と、少なくとも２個のグルコサミンに対する反応性基を有する化合物を反応させてえた４級化キトサンの微粒子を紡糸工程で混入して製造してもよい。上記キトサンの混合量は、０．３重量％以上２．０重量％以下にすることが好ましい。
【００１７】
膨ら脛の部位３には、内側に多数の粒状突起５を設ける。粒状突起５は軟質合成樹脂、例えば、ポリウレタン樹脂８０〜８５重量％、セラミック１０〜１５重量％の割合で生成される。突起は直径２ないし５ｍｍ、高さ１ないし２ｍｍ程度であり、上面が曲面を形成し、着圧するようになっている。本実施例の場合は、膨ら脛上端の折り返し縫製の口ゴム部４を、挿通しているゴム糸によって強く締め付けるようになっている。ポリウレタン樹脂に代えてホットメルト系接着剤として、ポリエチレン、ポリプロピレン、ポリエステル、ポリアクリルニトリル等の熱可塑性樹脂が一例として挙げられる。
【００１８】
セラミックは、特にアルミナ、シリカ、チタン化合物からなる金属酸化物からなるものが好適である。例えば、平均粒度０．０２〜０．１μｍの酸化アルミニウム９５重量％、酸化チタン３重量％、酸化珪素１〜２重量％からなる混合物をポリウレタン樹脂に混合したものを粒状にして靴下の膨ら脛の部位３に付着させてもよい。このような粒状突起５は５〜２０μの径で遠赤外線領域で高い放射率を有し、人体へ畜熱保温効果を有する。これは、遠赤外線の波長と人体の固有の波長が合うと、人体に浸透した赤外線が人体と共鳴、共振動を起し、熱反応して皮下深層で温度が上昇するという原理に基づくものである。
【００１９】
また、微粒子状再生キトサンをポリウレタン樹脂に対し、０．５重量％ないし５．０重量％含有させてもよい。再生キトサンは、キトサンを酸性水溶液に溶解してキトサン酸性水溶液とし、該水溶液中に落下等の手段で加え、凝固再生させた多孔再生キトサン球状体を、中性になるまで十分水洗した後、該多孔再生キトサン球状体を更に微粒化することによって微少多孔粒状再生キトサンがえられる。  これにより、抗菌、脱臭性能を有するソックスが形成される。
【００２０】
口ゴム部４は、着用時に、太い膨ら脛の部位３の少し細まった上端に当たるので、ここを強く着圧すると、弾性靴下としての効果とともに、ずり落ち防止にも寄与することができる。
【００２１】
着用に際しては、歩行するときに、脚部の皮膚が動いた後に靴下がずれて動くので、この間に脚部の膨ら脛の部位３と靴下との間に摩擦を生じるので、血行が改善され、マッサージ効果により血栓が生じない。粒状突起５は小さい方が皮膚への刺激が大きいことが証明されている。
【００２２】
本考案の着圧ソックスは、五本指ソックスにしたので、足指は蒸れることなく健康的で履き心地のよいソックスとすることができる。
【実施例２】
【００２３】
図２は、本考案の着圧ソックスの他の実施例を示す底面図である。
【００２４】
本考案の着圧ソックス１は、例えば、表糸は、アクリル繊維５０％、綿繊維５０％からなる混紡糸、裏糸は、ポリウレタン弾性糸を編成し、指先が親指２ａとその他の指を挿入する部分２ｆに分割された二本指ソックスからなっている。このソックス１も、膝の下までの長さのハイソックスであって、膨ら脛の部位３を含んでいる。
【００２５】
アクリル繊維には、例えば、実施例１と同様に、４級化キトサンの微粒子を紡糸工程で混入して製造してもよい。上記キトサンの混合量は、０．３重量％以上２．０重量％以下にすることが好ましい。
【００２６】
膨ら脛の部位３には、内側に多数の粒状突起５を設ける。粒状突起５は軟質合成樹脂８５重量％、セラミック１５重量％の割合で生成される。突起は直径２ないし５ｍｍ、高さ１ないし２ｍｍ程度であり、上面が曲面を形成し、着圧するようになっている。本実施例の場合は、膨ら脛上端の折り返し縫製の口ゴム部４を、挿通しているゴム糸によって強く締め付けるようになっている。粒状突起５の配置を中央に向かって多数設け、両端に向かって順次減少している。
【００２７】
セラミックは、特にアルミナ、シリカ、チタン化合物からなる金属酸化物からなるものが好適である。例えば、平均粒度０．０２〜０．１μｍの酸化アルミニウム９５重量％、酸化チタン３．０重量％、酸化珪素２．０重量％からなる混合物をポリウレタン樹脂に混合したものを粒状にして靴下の膨ら脛の部位３に付着させてもよい。
【００２８】
また、微粒子状再生キトサンをポリウレタン樹脂に対し、０．５重量％ないし５．０重量％含有させてもよい。
これにより、抗菌、脱臭性能を有するソックスが形成される。
【実施例３】
【００２９】
図３は、本考案の着圧ソックスの更に他の実施例を示す底面図である。
【００３０】
本考案の着圧ソックス１は、例えば、アクリル繊維５０％、綿繊維５０％からなる混紡糸を編成した指先が分割された通常のソックスからなっている。このソックス１も、膝の下までの長さのハイソックスであって、膨ら脛の部位３を含んでいる。
【００３１】
アクリル繊維には、例えば、実施例１と同様に、４級化キトサンの微粒子を紡糸工程で混入して製造してもよい。上記キトサンの混合量は、０．３重量％以上２．０重量％以下にすることが好ましい。
【００３２】
膨ら脛の部位３には、内側に多数の粒状突起５を設ける。粒状突起５は軟質合成樹脂８５重量％、セラミック１５重量％の割合で生成される。突起は直径２ないし５ｍｍ、高さ１ないし２ｍｍ程度であり、上面が曲面を形成し、着圧するようになっている。本実施例の場合は、膨ら脛上端の折り返し縫製の口ゴム部４を、挿通しているゴム糸によって強く締め付けるようになっている。粒状突起５の配置を段状に多数設けている。
【００３３】
セラミックは、特にアルミナ、シリカ、チタン化合物からなる金属酸化物からなるものが好適である。例えば、平均粒度０．０２〜０．１μｍの酸化アルミニウム９５重量％、酸化チタン３重量％、酸化珪素２重量％からなる混合物をポリウレタン樹脂に混合したものを粒状にして靴下の膨ら脛の部位３に付着させてもよい。
【００３４】
また、微粒子状再生キトサンをポリウレタン樹脂に対し、０．５重量％ないし５．０重量％含有させてもよい。
これにより、抗菌、脱臭性能を有するソックスが形成される。
【００３５】
着用に際しては、歩行するときに、脚部の皮膚が動いた後に靴下がずれて動くので、この間に脚部の膨ら脛の部位３と靴下との間に摩擦を生じるので、血行が改善され、マッサージ効果により血栓が生じない。段状に粒状突起５が配置されているので、間歇的に皮膚へ刺激され疲労回復が早まることが証明されている。
【００３６】
上記実施例１，２，３のソックスにキトサンを混合した粒状突起は、抗菌性を有するので、水虫の予防と治療に寄与することができる。
【産業上の利用可能性】
【００３７】
本考案の着圧ソックスは、エコノミー症候群を予防するための弾性靴下に限らず、健康的で履き心地のよい靴下として、各種の用途に広く利用しうるものである。
【図面の簡単な説明】
【００３８】
【図１】本考案の五本指ソックスを示す底面図である。
【図２】本考案の二本指ソックスを示す底面図である。
【図３】本考案の通常の形式のソックスを示す底面図である。
【符号の説明】
【００３９】
１                   
着圧ソックス
２ａ，ｂ，ｃ，ｄ，ｅ  五本指
３                   
膨ら脛部位
４                   
口ゴム部
５                   
粒状突起
【図１】
0003110165.tif 000003
【図２】
0003110165.tif 000004
【図３】
0003110165.tif 000005